(57)【要約】【課題】  撮像素子の画素欠陥を検出する欠陥画素検出手段を有する撮像装置において、撮像装置の高度検出を行わずに、確実に飛行機に搭乗したことを検知し、欠陥画素の検出を行う。【解決手段】  撮像装置の位置情報と時間間隔の情報から移動速度を算出し、一定以上の移動速度の場合は飛行機に搭乗したものと判断する。また、撮像装置のある地点の現地時刻情報と時間間隔の情報から、一定以上の時差がある場合は飛行機に搭乗したものと判断する。【選択図】        図３
2006157364.tif 000002
【特許請求の範囲】
【請求項１】
撮像素子の欠陥画素を検出する欠陥画素検出手段を有する撮像装置であって、
計時手段と、
前記計時手段において予め定められた時刻に前記撮像装置の移動に関する所定の情報を獲得する情報獲得手段と、
前記情報獲得手段により獲得された所定の情報及び該所定の情報が獲得された時刻に基づいて、前記欠陥画素検出手段による撮像素子の欠陥画素の検出を制御する制御手段とを有することを特徴とする撮像装置。
【請求項２】
前記情報獲得手段は、所定の情報として前記撮像装置の位置情報を獲得するものであり、
前記制御手段は、第１の時刻に獲得された第１の位置情報と第２の時刻に獲得された第２の位置情報とから得られる移動速度が予め定めた閾値以上であるときに、前記欠陥画素検出手段による撮像素子の欠陥画素の検出を行うことを特徴とする請求項１に記載の撮像装置。
【請求項３】
前記情報獲得手段は、所定の情報として前記撮像装置が所在する地域の時刻情報を獲得するものであり、
前記制御手段は、第１の時刻に獲得された第１の時刻情報と第２の時刻に獲得された第２の時刻情報とから得られた時差が予め定めた閾値以上であるときに、前記欠陥画素検出手段による撮像素子の欠陥画素の検出を行うことを特徴とする請求項１に記載の撮像装置。
【請求項４】
撮像素子の欠陥画素を検出する欠陥画素検出手段を有する撮像装置の制御方法であって、
予め定められた時刻に所定の情報を獲得する情報獲得工程と、
前記情報獲得工程で獲得された所定の情報及び該所定の情報が獲得された時刻に基づいて、所定の条件を満足したことを判断する判断工程と、
前記判断工程で所定の条件を満足したと判断されたとき、前記欠陥画素検出手段によって欠陥画素を検出する検出工程とを含むことを特徴とする撮像装置の制御方法。
【発明の詳細な説明】
【技術分野】
【０００１】
本発明は、撮像装置及びその制御方法に関する。より詳しくは欠陥画素検出手段を有する撮像装置及びその制御方法に関する。
【背景技術】
【０００２】
従来のカメラなどの撮像装置には、ＣＣＤのような固体撮像素子が多く用いられている。このＣＣＤ等の半導体により形成される固体撮像素子では、半導体の局所的な結晶欠陥等により画素劣化が起こることが知られている。入射光量に応じた撮像出力に常に一定のバイアス電圧が加算されてしまう画素欠陥は、この画素欠陥がそのまま信号処理されてしまうとモニタ上に高輝度の白い点として現れるため白キズと呼ばれている。また、光感度の低いものは黒い点として現れるので黒キズと呼ばれている。
【０００３】
そこで、工場出荷前の検査工程などであらかじめ検出した欠陥画素データ（欠陥画素の位置、種類など）をもとに、周囲の画素データを用いて作成したデータで欠陥画素のデータを置き換えて出力し、欠陥画素の異常なデータの影響を排除した技術が提案されている（例えば、特許文献１参照）。
【０００４】
しかしながら、撮像素子の画素欠陥は撮像素子の製造後においても外部的な要因によっても発生する。ＣＣＤを劣化させる外部的な要因としては、宇宙線によるものが知られている。近年撮像素子の高画素化が進み、宇宙線により製造後に発生した微細な欠陥も白キズまたは黒キズとして目立つようになってきた。
【０００５】
宇宙線によるＣＣＤの劣化は高度が高くなるにつれて、また磁場の弱い緯度の高い地域で顕著になることが知られている。特に、飛行機に搭乗した際は宇宙線による影響の大きい高々度を飛行するため、ＣＣＤの劣化が生じやすい。
【０００６】
そのため、撮像装置の位置情報として高度を検出し、所定以上の高度を通過したと判断されるときは、画素欠陥補正手段により画素欠陥の検査を行って、検出された画素欠陥を補正するという提案がなされている（例えば、特許文献２参照）。
【０００７】
また特許文献２においては、撮像装置に世界時計機能を搭載し、世界時計機能の表示都市コードが変更された場合は、国境を越えて航空機により運搬されたものと推定し、画素欠陥の検査を行うという提案もなされている。
【特許文献１】特開２０００−５９７９９号公報
【特許文献２】特開２００３−８９７９号公報
【発明の開示】
【発明が解決しようとする課題】
【０００８】
一般に、飛行機の離着陸時は乗客による電子機器の使用が禁止されており、電子機器の電源を切ることになっている。そのため、離陸後飛行機が安定飛行状態になり電子機器の使用が許可されても、搭乗中は撮像装置の電源が切られている場合が多い。電源を切っている間は高度や緯度の情報を検出できないため、特許文献２の撮像装置では、飛行機に搭乗し高々度を飛行したことを検知できないことが多かった。
【０００９】
また、飛行中の高度検出を行う手段として、特許文献２では気圧計測センサを使用しており、さらに画素欠陥の発生しやすいもう一つの条件である高緯度を検出するためにＧＰＳ（Ｇｌｏｂａｌ  Ｐｏｓｉｔｉｏｎｉｎｇ  Ｓｙｓｔｅｍ）を使用している。しかしながら、撮像装置に気圧計測センサと合わせて搭載するとコスト、大きさ、消費電力の点で問題があった。
【００１０】
また、特許文献２では、世界時計機能の表示都市コードが変更された場合は、航空機により運搬されたものと推定するように構成されているが、表示都市コードの変更は手動で行われるため、設定忘れなどがあり、航空機による運搬を検知する確実性に欠けていた。
【００１１】
本発明は上記課題を解決し、高い確度で飛行機に搭乗したことを自動検知し、欠陥画素の検出を行うことのできる、低廉、小型でかつ消費電力の少ない撮像装置を提供することを目的とする。
【課題を解決するための手段】
【００１２】
本発明の目的は、下記構成により達成することができる。
【００１３】
（請求項１）
撮像素子の欠陥画素を検出する欠陥画素検出手段を有する撮像装置であって、
計時手段と、
前記計時手段において予め定められた時刻に前記撮像装置の移動に関する所定の情報を獲得する情報獲得手段と、
前記情報獲得手段により獲得された所定の情報及び該所定の情報が獲得された時刻に基づいて、前記欠陥画素検出手段による撮像素子の欠陥画素の検出を制御する制御手段とを有することを特徴とする撮像装置。
【００１４】
（請求項２）
前記情報獲得手段は、所定の情報として前記撮像装置の位置情報を獲得するものであり、
前記制御手段は、第１の時刻に獲得された第１の位置情報と第２の時刻に獲得された第２の位置情報とから得られる移動速度が予め定めた閾値以上であるときに、前記欠陥画素検出手段による撮像素子の欠陥画素の検出を行うことを特徴とする請求項１に記載の撮像装置。
【００１５】
（請求項３）
前記情報獲得手段は、所定の情報として前記撮像装置が所在する地域の時刻情報を獲得するものであり、
前記制御手段は、第１の時刻に獲得された第１の時刻情報と第２の時刻に獲得された第２の時刻情報とから得られた時差が予め定めた閾値以上であるときに、前記欠陥画素検出手段による撮像素子の欠陥画素の検出を行うことを特徴とする請求項１に記載の撮像装置。
【００１６】
（請求項４）
撮像素子の欠陥画素を検出する欠陥画素検出手段を有する撮像装置の制御方法であって、
予め定められた時刻に所定の情報を獲得する情報獲得工程と、
前記情報獲得工程で獲得された所定の情報及び該所定の情報が獲得された時刻に基づいて、所定の条件を満足したことを判断する判断工程と、
前記判断工程で所定の条件を満足したと判断されたとき、前記欠陥画素検出手段によって欠陥画素を検出する検出工程とを含むことを特徴とする撮像装置の制御方法。
【発明の効果】
【００１７】
請求項１又は４に記載の発明によれば、計時手段において予め定められた時刻すなわち一定時間間隔ごとに撮像装置の移動に関する所定の情報を獲得して、所定の条件を満足したことを判断するので、撮像素子の画素欠陥を検出する欠陥画素検出手段を有する撮像装置において、低廉、小型でかつきわめて少ない消費電力でありながら、高い確度で飛行機に搭乗したことを自動的に検知でき、撮影の支障となることなく適切なタイミングで撮像素子の健全性を検査し、画素欠陥を補正する等により、常に画質が良好な撮像ができる。
【００１８】
請求項２に記載の発明によれば、位置情報と時間間隔の情報だけで飛行機に搭乗したことを自動的に検知できるので、低コストで小型な撮像装置を提供できる。
【００１９】
請求項３に記載の発明によれば、時刻情報と時間間隔の情報だけで飛行機に搭乗したことを自動的に検知できるので、低コストで小型な撮像装置を提供できる。
【発明を実施するための最良の形態】
【００２０】
以下、図面に基づき本発明の実施の形態を説明する。
【００２１】
図１は、本発明に係る撮像装置の一実施形態であるデジタルカメラの主たる構成を示す断面図である。
【００２２】
デジタルカメラ（より詳細にはデジタルスチルカメラ）１は、主としてカメラ本体部２と、カメラ本体部２に固設される撮影レンズ（撮影光学系）３とから構成される。
【００２３】
撮影レンズ３は主として、鏡胴３１、鏡胴３１の内部に設けられる複数のレンズ群３２、絞り３３等から構成される。撮影レンズ３はズームレンズとして構成され、レンズ群３２の配置を変更することにより、焦点距離（撮像倍率）を変更可能としている。
【００２４】
撮影レンズ３の光軸Ｌの後方には、カメラ本体部２のハウジング２ａに収容されたＣＣＤ（電荷結合素子）５が配置されている。ＣＣＤ５は、カラーフィルタがそれぞれ付された微細な画素群で構成される撮像素子であり、撮影レンズ３によって結像される被写体の光像（被写体像）を、例えばＲＧＢの色成分を有する画像信号に光電変換する。
【００２５】
ＣＣＤ５の受光面は結像平面と一致するように配置され、イメージサークルを含む結像平面の一部の領域が画像データ（本明細書中では、適宜単に「画像」ともいう。）として取得されることとなる。
【００２６】
カメラ本体部２の上面側にはシャッタボタン６１が設けられる。また、カメラ本体部２の上面側には、デジタルカメラ１の移動に関する所定の情報を獲得する移動検出部４０が設けられている。カメラ本体部２の背面側には、操作部６０、ＬＣＤ８１、電源スイッチ６６および光学ファインダ８２が設けられる。
【００２７】
操作部６０は、デジタルカメラ１の各種指示や設定をユーザから受け付けるものである。操作部６０は、独立して設けられた複数の操作部材（ボタン、スイッチなど）を有している。具体的には、操作部６０は、前述のシャッタボタン６１の他、モードスイッチ６２、時刻設定ボタン６３（図２参照）などを有している。なお、モードスイッチ６２、時刻設定ボタン６３は、図示の都合上、図１には示していないが、カメラ本体部２の表面の適宜の位置に設けられている。また、これら複数の操作部材は、カメラ本体部２の背面だけでなく、カメラ本体部２の側面および上面などにも適宜設けられる。
【００２８】
操作者は、この操作部６０にて所定の操作を行うことにより、各種の設定操作を行うことができる。
【００２９】
例えば、操作者は、モードスイッチ６２を操作することによって、デジタルカメラ１のモードを再生モードと撮影モードとの間で切り替えることができる。また、操作者は、時刻設定ボタン６３を操作することによって、デジタルカメラ１に内蔵する時計の時刻を設定できる。具体的には、操作者が時刻設定ボタン６３を押下して、ＬＣＤ８１に表示される時刻表示を見ながら所定の時刻に設定する。
【００３０】
ＬＣＤ８１は、各種の情報や画像を表示する電子式ファインダである。
【００３１】
また、光学ファインダ８２は、眼を近づけた状態で被写体像を確認するための「接眼式」のファインダである。また、カメラ本体部２の内部には、各種データを記録するメモリカード９（図２参照）を挿入して装着することが可能とされ、ＣＣＤ５にて取得された記録用の画像（本撮影画像）はメモリカード９に記録されるようになっている。
【００３２】
図１に示したデジタルカメラ１の機能構成を図２を用いて説明する。
【００３３】
図２は、図１のデジタルカメラ１の主たる機能構成を示すブロック図である。なお、図１に示したものと同じ構成要素には同符号を付して説明を省略する。
【００３４】
デジタルカメラ１は、ＡＤ変換部２１、画像処理部２２、操作部６０、メインマイコン部７、画像メモリ２３、欠陥データメモリ９１、移動検出部４０等を有する。
【００３５】
制御手段として機能するメインマイコン部７は、マイクロコンピュータを備えて構成される。すなわち、メインマイコン部７は、各種演算処理を行うＣＰＵ７０と、演算を行うための作業領域となるＲＡＭ７５と、制御プログラム等が記憶されるＲＯＭ７６とを備え、デジタルカメラ１の各処理部の動作を統括的に制御する。不揮発性メモリであるＲＯＭ７６としては、例えば、データの電気的な書き換えが可能なＥＥＰＲＯＭが採用される。これにより、ＲＯＭ７６は、データの書き換えが可能で、かつ、電源を落とした場合でもそのデータの内容を保持する。
【００３６】
メインマイコン部７は、自動合焦制御部（ＡＦ制御部）７１、自動露出制御部（ＡＥ制御部）７２、欠陥画素検出部７３、時間間隔計測部７４などの各種の制御機能を有する。メインマイコン部７の各種の機能は、予めＲＯＭ７６内に記憶される制御プログラムに従ってＣＰＵ７０が演算処理を行うことにより実現される。
【００３７】
ＡＦ制御部７１は、合焦用評価値を用いて撮影レンズ３の焦点位置を調整することによって自動合焦制御を実現する。
【００３８】
撮影レンズ３は、ズーム・フォーカス駆動部３３２および絞り駆動部３３１を備えている。ズーム・フォーカス駆動部３３２は、ユーザにより設定される焦点距離となるように、また、焦点が合うように（フォーカシング）レンズ群３２に含まれるレンズを適宜光軸方向に駆動するものである。
【００３９】
また、ＡＥ制御部７２は、画像を複数のブロックに分割し、各ブロックの代表輝度値に基づいてＡＥ用評価値を算出する。このＡＥ用評価値を用いて自動露出制御が実現される。
【００４０】
絞り駆動部３３１は、ＡＥ制御部７２により設定される絞り値となるように絞り３３の開口径を調整するものである。ズーム・フォーカス駆動部３３２および絞り駆動部３３１も電気的にメインマイコン部７に接続され、メインマイコン部７の制御下にて動作する。
【００４１】
Ａ／Ｄ変換部２１、画像処理部２２および画像メモリ２３は、ＣＣＤ５にて取得された画像を扱う処理部を示している。すなわち、ＣＣＤ５にて取得されたアナログ信号の画像は、Ａ／Ｄ変換部２１にてデジタル信号に変換され、画像処理部２２にて所定の画像処理がなされた後、画像メモリ２３に一時的に格納される。この間に、後述するように画像メモリー２３に格納された画像は、欠陥画素検出部７３によって検出された欠陥画素データをもとに欠陥画素補償処理が行われる。画像メモリ２３に格納された画像は、記録用画像としてメモリカード９００へ記録されたり、ライブビュー表示用画像としてＬＣＤ８１に表示されることとなる。このような画像に対する各種の処理もメインマイコン部７の制御に基づいて行われる。
【００４２】
欠陥画素検出部７３は、ＣＣＤ５の画像からＣＣＤ５の欠陥画素を検出し欠陥データメモリ９１に記録を行う欠陥画素検出手段である。具体的には、欠陥画素の検査工程が開始されると、白キズを検出する場合はメインマイコン部７が絞り駆動部３３を絞りが全閉になるように操作し、ＣＣＤ５を遮光した状態にした後撮影動作を行う。また、黒キズを検出する場合は、メインマイコン部７がズーム・フォーカス駆動部３３２を操作して焦点をぼかした上、ＣＣＤ５のアナログ画像出力が適当なレベルになるように絞り駆動部３３により絞りを操作後撮影動作を行う。
【００４３】
このアナログ画像出力はＡ／Ｄ変換部２１でデジタル画像信号に変換されて、画像メモリ２３に記録される。続いて、画像メモリ２３に記録されたデジタル画像から、欠陥画素の存在する欠陥画素の位置、欠陥状態（欠陥種類等）などの情報を含む欠陥画素データを作成する。欠陥画素データは欠陥画素データメモリ９１に記録し、次回撮影時に利用する。欠陥画素データメモリ９１はデータの電気的な書き換えが可能なＥＥＰＲＯＭ等を用いた不揮発性メモリである。
【００４４】
次回撮影時には、欠陥画素データメモリ９１に記録された欠陥画素データをもとに、画像メモリ２３に一時的に格納された画像に対し、周囲の画素データを用いて作成したデータに置換するなどの所定のアルゴリズムによる欠陥画素補償処理を行う。
【００４５】
こうして補正された画像のデジタル信号は画像処理部２２によりＪＰＥＧ形式などに圧縮された後、メモリカード９０に記録され、またＬＣＤ８１などに表示出力される。
【００４６】
時間間隔計測部７４はＣＰＵ７０に内蔵する時計を用いて、デジタルカメラ１各部の動作を開始させるための計時手段である。時間間隔計測部７４は一定の時間間隔ごと（たとえば１時間ごと）にＣＰＵ７０に内部割り込みを発生し、所定の処理を行わせることができ、また当該処理が実行された時刻を出力することができる。
【００４７】
移動検出部４０はデジタルカメラ１の移動に関する所定の情報を獲得する情報獲得手段として機能する。
【００４８】
移動検出部４０は、デジタルカメラ１の位置情報を検知する位置情報検知部４１を有する。位置情報検知部４１の代表として、例えばＩＥＣ６１１０８「全地球的航行衛星システム」規格に準拠した、ＧＰＳ衛星からの電波を受信するＧＰＳ（Ｇｌｏｂａｌ  Ｐｏｓｉｔｉｏｎｉｎｇ  Ｓｙｓｔｅｍ）信号処理装置がある。この場合、自らＧＰＳ信号を処理して位置を算出するものでなくても外部処理装置から位置情報を受け取るものであっても良い。
【００４９】
また、移動検出部４０は、デジタルカメラ１が所在する地域の時刻情報を獲得する現地時刻検知部４２も有する。現地時刻検知部４２の代表として、各地域の標準電波局から送信される標準電波を受信して、協定世界時（ＵＴＣ）に基づく各地域の標準時を時刻情報として獲得する標準電波受信装置や、ネットワークに接続してＮＴＰ（Ｎｅｔｏｗｏｒｋ  Ｔｉｍｅ  Ｐｒｏｔｏｃｏｌ）により時刻情報を獲得するＮＴＰ装置がある。
【００５０】
この場合、自ら時刻情報を獲得するものでなくても、外部処理装置から現地時刻情報を受け取るものであっても良い。現地時刻を検知する手段としては、ＧＰＳ衛星から電波で送信されるＧＰＳ信号に含まれる時刻情報を利用しても良い。ＧＰＳ信号処理装置を用いれば、位置情報と時刻情報の両方を取得することも可能である。
【００５１】
判断部７７は時間間隔計測部７４からの時間間隔情報と移動検出部４０からの位置情報や時刻情報が所定の条件を満足した場合、飛行機で移動したと判断する判断手段として機能する。
【００５２】
本発明に係る撮像装置の動作について、図３乃至図５を用いて説明する。
【００５３】
図３は、図１及び図２に示したデジタルカメラ１における移動検知処理の流れを示すフローチャートである。
【００５４】
なお、図３に示した処理は、時間間隔計測部７４が一定の時間間隔ごとに発生するタイマー割り込みにより開始されるものである。
【００５５】
デジタルカメラ１の時間間隔計測部７４はｔ分ごとにタイマー割り込みを発生するようになっている。ここでは時間間隔ｔ＝６０とし１時間ごとにタイマー割り込みが発生するものとする。なお、デジタルカメラ１の電源状態のＯＮ／ＯＦＦに係わらず、ＣＰＵ７０の時間間隔計測部７４はタイマー割り込み動作を継続しているものとする。
【００５６】
タイマー割り込みが発生するとステップＳ１００において、移動検出部４０により位置情報が取得される。位置情報はＧＰＳ衛星からのＧＰＳ電波を受信することにより取得するので、飛行機で上空を飛行中など電波状態が悪い場合は取得できない場合もある。
【００５７】
ステップＳ１０１では、ステップＳ１００で位置情報の取得に成功したか否かが判断される。位置情報取得に成功した場合（ステップＳ１０１；Ｙｅｓ）は、ステップＳ１０３の処理が実行され、電波状態が悪い場合等の理由により位置情報取得に失敗した場合（ステップＳ１０１；Ｎｏ）は、取得失敗の回数ＮをＮ＝Ｎ＋１にし、取得失敗の回数Ｎをカウントし（ステップＳ１０２）、次のタイマー割り込み待ち状態になる。なお、取得失敗の回数Ｎの初期値は０である。
【００５８】
ステップＳ１０３では、ＲＯＭ７６に記録された第１の位置情報である前回の位置情報と第２の位置情報である今回取得した位置情報とから移動距離Ｘを計算する。なお、第１の位置情報の初期値はデジタルカメラ１の生産工場の位置が書き込まれている。今回取得した位置情報は、ステップＳ１０４において、ＲＯＭ７６に第１の位置情報として上書き記録される。
【００５９】
ステップＳ１０５において、ステップＳ１０３で算出された移動距離Ｘと経過時間Ｔから移動速度Ｖを算出する。
【００６０】
経過時間Ｔ（分）は、次式で算出される。
経過時間Ｔ＝時間間隔ｔ＋取得失敗の回数Ｎ×時間間隔ｔ
移動速度Ｖ（ｋｍ／時）は次式で算出される。
移動速度Ｖ＝移動距離Ｘ÷（経過時間Ｔ÷６０）
ステップＳ１０６において、取得失敗の回数Ｎを０にする。
【００６１】
ステップＳ１０７において、ステップＳ１０５で算出された移動速度Ｖが閾値、例えば時速３００ｋｍ以上であるか否かが判断される。なお、閾値は予めＲＯＭ７６に記憶されている。時速３００ｋｍ以上に相当する場合（ステップＳ１０７；Ｙｅｓ）、判断部７７は飛行機により移動したと判断し、ステップＳ１０８においてＲＯＭ７６に記憶されている画素欠陥検知フラッグＦＬＧをＯＮにする。ステップＳ１０７において移動速度Ｖが時速３００ｋｍ未満に相当する場合（ステップＳ１０７；Ｎｏ）は何も処理を行わず、次のタイマー割り込み待ち状態になる。
【００６２】
次に移動検知処理の第２の実施の形態について図４のフローチャートに沿って説明する。図４は、図１及び図２に示したデジタルカメラ１における第２の実施の形態に係る移動検知処理の流れを示すフローチャートである。なお、図４に示した処理も、図３と同様に、時間間隔計測部７４が一定の時間間隔ごとに発生するタイマー割り込みにより開始されるものである。
【００６３】
タイマー割り込みが発生するとステップＳ２００において、移動検出部４０により時刻情報が取得される。時刻情報は標準電波送信所からの電波時計用標準電波など時間情報を含む電波を受信することにより取得するので、飛行機で上空を飛行中など電波状態が悪い場合は取得できない場合もある。
【００６４】
ステップＳ２０１において、では、ステップＳ２００で時刻情報の取得に成功したか否かが判断される。時刻情報取得に成功した場合（ステップＳ２０１；Ｙｅｓ）は、ステップＳ２０３の処理が実行され、時刻情報取得に失敗した場合（ステップＳ２０１；Ｎｏ）は、取得失敗の回数Ｎをカウントし（ステップＳ２０２）、次のタイマー割り込み待ち状態になる。
【００６５】
ステップＳ２０３において第１の時刻情報である前回の時刻情報と第２の時刻情報である今回取得した時刻情報から時間差ＴＸを計算する。なお、第１の時刻情報の初期値はデジタルカメラ１の生産工場で設定されている。今回取得した時刻情報は次のステップＳ２０４において、第１の時刻情報としてＲＯＭ７６に記録される。
【００６６】
ステップＳ２０５において、時間差ＴＸと経過時間Ｔから時差ＴＳを算出する。
【００６７】
経過時間Ｔは、次式で算出される。
【００６８】
経過時間Ｔ＝時間間隔ｔ＋取得失敗の回数Ｎ×時間間隔ｔ
時差ＴＳは、次式で算出される。
【００６９】
時差ＴＳ＝時間差ＴＸ−経過時間Ｔ
ステップＳ２０６において、取得失敗の回数Ｎを０にする。
【００７０】
ステップＳ２０７において、ステップＳ２０５で算出した時差ＴＳが閾値として例えば２時間以上に相当する場合（ステップＳ２０７；Ｙｅｓ）、判断部７７は飛行機により移動したと判断し、ステップＳ２０８において画素欠陥検知フラッグＦＬＧをＯＮにする。ステップＳ２０７において時差ＴＳが２時間未満に相当する場合（ステップＳ２０７；Ｎｏ）は何も処理を行わず、次のタイマー割り込み待ち状態になる。
【００７１】
図５は図１及び図２に示したデジタルカメラ１における欠陥画素を検出し欠陥画素を補償する制御処理の流れを示す概略フローチャートである。ここではカメラ電源ＯＮから最初の１枚の撮影までの撮影動作について説明する。
【００７２】
電源スイッチ６６の操作により、ステップＳ３００において、カメラ電源がＯＮになると、次ステップＳ３０１においてＲＯＭ７６に記憶されている画素欠陥検知フラッグＦＬＧの状態を判別する。
【００７３】
画素欠陥検知フラッグＦＬＧがＯＮの時（ステップＳ３０１；Ｙｅｓ）、ステップＳ３０２の処理が実行され、画素欠陥検知フラッグＦＬＧがＯＦＦの時（ステップＳ１０１；Ｎｏ）はステップＳ３０５の処理が実行される。
【００７４】
ステップＳ３０２において欠陥画素検出部７３が欠陥画素を検出し欠陥画素データを作成する。続いて、ステップＳ３０３において、欠陥画素データを欠陥画素データメモリ９１に記録する。
【００７５】
ステップＳ３０４において、画素欠陥検知フラッグＦＬＧをＯＦＦにする。
【００７６】
ステップＳ３０５において、シャッタボタン６１が押下されると、ＣＰＵ７０では撮影開始指令と判定し、ＡＦ制御動作およびＡＥ制御動作の後、ステップＳ３０６においてＣＣＤ５の露光動作等すなわち撮影が行われる。ＣＣＤ５にて取得されたアナログ信号の画像は、Ａ／Ｄ変換部２１にてデジタル信号に変換され、画像処理部２２にて所定の画像処理がなされた後、画像メモリ２３に一時的に格納される。
【００７７】
ステップＳ３０７では、欠陥画素データメモリ９１に記録された欠陥画素データをもとに、画像メモリ２３に一時的に格納された画像に対し、周囲の画素データを用いて作成したデータに置換するなどの所定のアルゴリズムによる欠陥画素補償処理を行う。
【００７８】
ステップＳ３０８で、ステップＳ３０７で補償された画像は画像処理部２２によりＪＰＥＧ形式などに圧縮された後、メモリカード９０に記録される。
【００７９】
以上のように本実施の形態によれば、簡単な構成で高い確度で撮像装置が飛行機に搭乗したことを自動検知できるので、安価で小型、低消費電力な欠陥画素検出機能付き撮像装置を提供できる。
【００８０】
なお、本実施の形態としてデジタルカメラを例示したが、携帯電話やビデオカメラなどにも適用可能である。
【図面の簡単な説明】
【００８１】
【図１】本発明に係る撮像装置の構成を示す断面図である。
【図２】本発明に係る撮像装置の機能構成を示すブロック図である。
【図３】本発明に係る撮像装置で実行される第１の実施の形態に係る移動検知処理の流れを示すフローチャートである。
【図４】第２の実施の形態に係る移動検知処理の流れを示すフローチャートである。
【図５】本発明に係る撮像装置における撮像処理の流れを示すフローチャートである。
【符号の説明】
【００８２】
１  デジタルカメラ
２  カメラ本体部
３  撮影レンズ
５  ＣＣＤ
４０  移動検出部
６１  シャッタボタン
７０  ＣＰＵ
８１  ＬＣＤ
８２  光学ファインダ
９１  欠陥データメモリ
Ｌ  光軸
【図１】
2006157364.tif 000003
【図２】
2006157364.tif 000004
【図３】
2006157364.tif 000005
【図４】
2006157364.tif 000006
【図５】
2006157364.tif 000007